(57)【要約】      （修正有）【課題】不用意に開閉蓋に触れて閉口誤操作しても、開閉蓋が鍵盤上へ閉口動作しない安全機能を有するグランドピアノの鍵盤に対する開閉蓋のストッパー具を提供する。【解決手段】グランドピアノ２０の鍵盤開閉蓋を開口時に前框との間で拘束して閉口しないようにするストッパー具１０であり、一対のＬ型長板１１、１２間の長さが調整可能に一方の長板の長辺に螺子棒を固着し、他方の長板の長辺に長孔を設け、長孔に螺子棒を挿通すると共に蝶ナット１４で締付し、コの字状に組合せた一対のＬ型長板両端の短片１１ｂ、１２ｂ間の長さを調整可能に締付固定する。【選択図】図１
0003224394.tif 000002
【実用新案登録請求の範囲】
【請求項１】
グランドピアノの鍵盤開閉蓋を開口時に前框との間で拘束して閉口しないようにしたグランドピアノの鍵盤開閉蓋ストッパー具であって、一対のＬ型長板間の長さが調整可能に一方の長板の長辺に螺子棒が固着し、他方の長板の長辺に長孔が設けられ、上記長孔に螺子棒が挿通すると共に蝶ナットで締付され、コの字状に組合せた一対のＬ型長板両端の短片間の長さを調整可能に締付固定される構成としたグランドピアノの鍵盤開閉蓋ストッパー具。
【請求項２】
請求項１のグランドピアノの鍵盤開閉蓋ストッパー具において、蝶ナットを単なるナットとしたことを特徴とするグランドピアノの鍵盤開閉蓋ストッパー具。
【請求項３】
請求項１又は請求項２のいずれかに記載のグランドピアノの鍵盤開閉蓋ストッパー具において、一対のＬ型長板の表裏表面をフェルト材や布材の柔軟素材で被覆したことを特徴とするグランドピアノの鍵盤開閉蓋ストッパー具。
【請求項４】
請求項１又は請求項２のいずれかに記載のグランドピアノの鍵盤開閉蓋ストッパー具において、一対のＬ型長板の裏表面をフェルト材や布材の柔軟素材で被覆したことを特徴とするグランドピアノの鍵盤開閉蓋ストッパー具。
【考案の詳細な説明】
【技術分野】
【０００１】  本考案は、グランドピアノの鍵盤に対する鍵盤開閉蓋のストッパー具に係わり、特に鍵盤開閉蓋を持ち上げた開口時において、不用意に鍵盤開閉蓋（以下、単に鍵盤蓋とも言う）に触れて閉口誤操作しても、鍵盤蓋が鍵盤上へ閉口動作しない安全機能を持たせたものに関する。
【背景技術】
【０００２】  従来、取付けが容易で、鍵盤楽器を傷つけたり汚したりすることのない鍵盤蓋開閉補助具が公知例として提供されている。その構成は、基台と、基端が基台に軸支され、先端が鍵盤蓋の裏面に当接したアームとを備えると共に、アーム  を介して鍵盤蓋を開方向へ付勢するため、アームの先端を起立方向に付勢する弾発材を備え、基台を拍子木に着脱自在に密着固定してなるものが提案されている（特許文献１。）。【０００３】  上記鍵盤蓋開閉補助具は、演奏中に不用意なアクションで鍵盤蓋が突然誤動作で閉じ動作してしまった時、演奏者の指を挟むのを回避する機能を持つものである。より具体的には、アームを軸支すると共に、鍵盤蓋を開方向へ付勢する弾発材を備える基台を、拍子木に着脱自在に密着固定している。このため、アームの付勢力により鍵盤蓋の閉じ速度の抑制が可能で、取付にあたっては奥屋根や鍵盤蓋の加工が不要であることから、取付が容易な鍵盤蓋開閉補助具を提供可能であるとするものである。
【先行技術文献】
【特許文献】
【０００４】
【特許文献１】特開２０００−２５０５２９号公報
【考案の概要】
【考案が解決しようとする課題】
【０００５】  上記特許文献１は、アップライトピアノに限定されるほか、誤って鍵盤蓋を閉口させると、ゆっくり閉口動作するから、蓋で指を挟んだ時、大きな衝撃を避けられるものの、指を挟まれるという危険性は完全に解消されていないと言う、問題点は解消されていない。
【課題を解決するための手段】
【０００６】  本考案は、上記鍵盤蓋開閉補助具の問題点に鑑みてなされたもので、特に、グランドピアノにおいて、上記鍵盤蓋を持ち上げた開口時に、不用意に鍵盤蓋に触れて閉口誤操作させても、鍵盤蓋が鍵盤上へ閉口動作しない安全機能を持たせた、グランドピアノの鍵盤蓋ストッパー具（本願出願人の商品で、コティールと言う商標）である。【０００７】  より具体的には、グランドピアノの前框は、鍵盤蓋の後方に配置され、ピアノを弾く時に鍵盤蓋を持ち上げて開口すると連動して垂直に立ち上り、蓋と接近し合います。グランドピアノによって、鍵盤蓋の高さが前框よりも高いタイプ、略平行姿勢のタイプ、低いタイプの３種類に分かれます。本考案のグランドピアノ対応のストッパー具は、一対のＬ型長板間の長さが調整可能に一方の長板の長辺に蝶螺子を他方の長板の長辺に長孔を設け、この長孔に蝶螺子を挿入し、コの字状に組合せた一対のＬ型長板両端の短片間の長さを調整可能に蝶螺子の緩め締付で固定する構成とした。これにより、鍵盤蓋の高さが前框よりも高いタイプや並行タイプは問題なく平行になる。横から見た時に、鍵盤蓋が低いタイプは、やや前斜めになるが、この接近し合う鍵盤蓋と前框の間にストッパー具のＬ型板両端の短片間の長さを蝶螺子の緩めで拡げ、嵌めてから縮めて締付固定することで、ストッパー具としての機能は果たされる。【０００８】  上記目的を達成すべく、請求項１の本考案のグランドピアノの鍵盤開閉蓋ストッパー具は、一対のＬ型長板間の長さが調整可能に一方の長板の長辺に螺子棒が固着し、他方の長板の長辺に長孔が設けられ、上記長孔に螺子棒が挿通すると共に蝶ナットで締付され、コの字状に組合せた一対のＬ型長板両端の短片間の長さを調整可能に締付固定される構成とした。【０００９】  更に、請求項２のグランドピアノの鍵盤開閉蓋ストッパー具は、上記請求項１のグランドピアノの鍵盤開閉蓋ストッパー具において、蝶ナットを単なるナットとしたことを特徴とする。【００１０】  更に、請求項３のグランドピアノの鍵盤開閉蓋ストッパー具は、請求項１又は請求項２の何れかに記載したグランドピアノの鍵盤開閉蓋ストッパー具において、一対のＬ型長板の表裏表面をフェルト材や布材の柔軟素材で被覆したことを特徴とする。【００１１】  更に、請求項４のグランドピアノの鍵盤開閉蓋ストッパー具は、請求項１又は請求項２の何れかに記載したグランドピアノの鍵盤開閉蓋ストッパー具において、一対のＬ型長板の裏表面をフェルト材や布材の柔軟素材で被覆したことを特徴とする。
【考案の効果】
【００１２】  上記グランドピアノの鍵盤開閉蓋ストッパー具は、鍵盤蓋の蓋を開く時に掴む曲線の部分と、前框（まえかまち）間に嵌めて取り付けると、蓋が動かないので、鉛筆などを落としても前框と鍵盤蓋の隙間に止まり、鍵盤内部に落ちず、除く事が簡単に出来る。また、取付け取り外しは、ストッパーを抜き差しと螺子の操作だけで簡単にできる。更に、フェルト材や布材の柔軟素材でストッパー具を被覆したから、ピアノ本体の鍵盤開閉蓋や前框にも傷が付かない。【００１３】  更に、手で簡単に動かせる「蝶螺子タイプ」とスパナでしっかり固定する「ナットタイプ」の二つがあり、蝶螺子タイプは簡単に手で緩めて微調整できる。使用中に緩んでも螺子を締めるだけで良い。ナットタイプは、蝶ネジタイプよりも頭がでっぱらないので、譜面台をかなり手前に引っ張る場合でも当接しない。など、多くの効果が得られる。
【図面の簡単な説明】
【００１４】
【図１】  本考案の実施形態を示し、鍵盤開閉蓋ストッパー具の斜視図である。
【図２】  本考案の実施形態を示し、鍵盤開閉蓋ストッパー具の側面図である。
【図３】  本考案の実施形態を示し、鍵盤開閉蓋ストッパー具の展開斜視図である。
【図４】  本考案の実施形態を示し、鍵盤開閉蓋ストッパー具の締結図である。
【図５】  本考案の変形実施形態を示し、鍵盤開閉蓋ストッパー具の斜視図である。
【考案を実施するための形態】
【００１５】  以下、図１〜図５を参照して本考案の実施の形態となるグランドピアノの鍵盤開閉蓋ストッパー具を説明する。
【実施例】
【００１６】  本考案の実施の形態となるグランドピアノの鍵盤開閉蓋ストッパー具１０は、図１と図２にその全体構成を示す。上記グランドピアノ２０の鍵盤開閉蓋３を開口時に前框５との間で拘束して鍵盤開閉蓋３が閉口しないようにしたグランドピアノの鍵盤開閉蓋ストッパー具１０である。その構成は、図３（ａ）において、一対の金属製のＬ型長板１１，１２間の長さが調整可能に一方の長板１１の長辺１１ａには、螺子棒（例えば、頭付きボルト）１３を挿通させて接着又は溶接で固着されている。他方の長板１２の長辺１２ａには長孔１２ｅを設け、この長孔に上記螺子棒を挿通すると共に蝶ナット１４又は座付ナット（単なるナット）１５で締付し、コの字状に組合せた一対のＬ型長板１１，１２の両端の短片１１ｂ，１２ｂ間の長さを調整可能に締付固定する構成とした。【００１７】  上記鍵盤開閉蓋ストッパー具１０は、図５に示す変形実施形態の鍵盤開閉蓋ストッパー具３０としても良い。その構成は、一対の金属製のＬ型長板１１，１２となる板材には、その全長に近く明けた長孔１１ｅ，１２ｅが設けられている。そして、螺子棒（頭付きボルト）１３は、長孔１１ｅの内側端に通した基部から頭部（共に図示無し）を強力な接着剤又は溶着により固着されている。その他の構成は同一であるから、同一符号を付して説明を省略する。この鍵盤開閉蓋ストッパー具３０は、長い長孔１１ｅ，１２ｅにより、両短片１１ｂ，１２ｂ間の長さ調節を広範囲に出来る。【００１８】  更に、図３（ｂ）に示すように、フェルト材Ｆや布材Ｗの柔軟素材Ｓは、一対のＬ型長板１１，１２の表裏全面を被覆できる長さと幅に裁断されている。フェルト材Ｆや布材Ｗの柔軟素材Ｓは、図３（ｃ）に見るように、螺子棒１３の付近を除く表裏全面を両面接着テープ又は接着剤で被覆させている。勿論、図示しないが、一対のＬ型長板１１，１２の裏面（開閉蓋３と前框５に接する内側面）１１ｃ，１２ｃのみをフェルト材Ｆや布材Ｗや柔軟素材Ｓで被覆しても良い。【００１９】  上記グランドピアノの鍵盤開閉蓋ストッパー具１０，３０によると、以下の様に作用する。図１と図２と図４は、グランドピアノ２０の鍵盤開閉蓋３を開口時に前框５との間で拘束又は解除する操作手順を示す。先ず、鍵盤開閉蓋ストッパー具１０，３０は、鍵盤開閉蓋３を前框５との間に接近させた起立状態において、図４に見るように、鍵盤開閉蓋ストッパー具１０，３０の蝶ナット１４（又は座付ナット１５）を緩め、Ｌ型長板１１，１２の両端の短片１１ｂ，１２ｂ間を破線矢線方向に、最大間隔ＬＭＡＸに拡げる。この状態で図１と図２の如く、鍵盤開閉蓋ストッパー具１０，３０の短片１１ｂ，１２ｂを鍵盤開閉蓋３と前框５間に嵌め込む。続いて、Ｌ型長板１１，１２間を実線矢方向に縮めて両短片１１ｂ，１２ｂを鍵盤開閉蓋３と前框５に押し当てる。この状態が、図４に図示する縮小寸法Ｌ０となり、蝶ナット１４（又は座付ナット１５）を螺子棒１３に締付けて固定し、鍵盤開閉蓋３が閉口しないように拘束・固定する。【００２０】  上記の如く、鍵盤開閉蓋ストッパー具１０，３０の短片１１ｂ，１２ｂで鍵盤開閉蓋３と前框５間を拘束すると、ピアノの演奏時・練習時に、誤って鍵盤開閉蓋３を閉口させようとし��も、閉口することがない。しかして、閉口動作しないから、鍵盤開閉蓋３に指が挟まれることが解消される。そして、鍵盤開閉蓋ストッパー具１０，３０を鍵盤開閉蓋３と前框５間から取り外すには、蝶ナット１４（又は座付ナット１５）を緩め、Ｌ型長板１１，１２の両端の短片１１ｂ，１２ｂ間を破線矢線方向に拡げる。この状態で図１と図２の如く、鍵盤開閉蓋ストッパー具１０，３０の短片１１ｂ，１２ｂを鍵盤開閉蓋３と前框５間から緩め、持ち上げて解除する。【００２１】  尚、上記鍵盤開閉蓋ストッパー具１０，３０のフェルト材Ｆは、伸縮性があるから一度セットアップした後では、鍵盤開閉蓋ストッパー具１０，３０を弱い力で引き抜くことが出来き・また差し込めるから、簡便な着脱操作が可能となる作用効果も得られる。【００２２】  上記グランドピアノの鍵盤開閉蓋ストッパー具１０，３０は、鍵盤蓋を開く時に掴む先端の部分と、前框（まえかまち）間に嵌めて取り付けると、鍵盤蓋が動かないので、鉛筆などを落としても前框と鍵盤蓋の隙間に止まり、鍵盤内部に落ちず、除く事が簡単に出来る。また、取付け取り外しは、ストッパー具１０，３０の抜き差しと螺ナット１４の手操作だけで簡単にできる。更に、フェルト材Ｆ又布Ｗの柔軟素材Ｓをストッパー具１０，３０の全面や少なくとも内側裏面に貼付けているから、ピアノ２０にも傷が付かない。【００２３】  更に、手で簡単に動かせる「蝶ナットタイプ」とスパナでしっかり固定する「ナットタイプ」の二つがあり、蝶ナットタイプは簡単に手で緩めて微調整できるから、使用中に緩んでも蝶ナットを手で締めるだけで良い。ナットタイプは、蝶ナットタイプよりも頭がでっぱらないので、譜面台をかなり手前に引っ張る場合でも当接しないなど、多くの作用・効果が得られる。
【産業上の利用可能性】
【００２４】  本考案のグランドピアノの鍵盤開閉蓋ストッパー具１０，３０は、グランドピアノの鍵盤開閉蓋ストッパー具に留まらず、その他の楽器にも適用・採用できる。
更に、図示のものに限定されず、他の実施構成に変更できる。例えば、Ｌ型長板１１，１２は金属で構成されるが、高強度の樹脂材で構成しても良い。また、図４に示す一対のＬ型長板１１，１２の両端の短片１１ｂ，１２ｂ間の最大長さＬＭＡＸは、ピアノによって異なる鍵盤開閉蓋３を開口時に前框５との寸法よりも、僅かに長く設定される。
【符号の説明】
【００２５】  １０，３０          グランドピアノの鍵盤開閉蓋ストッパー具
３                  鍵盤開閉蓋
５                  前框
１１，１２          Ｌ型長板
１１ａ，１２ａ      長辺
１１ｂ，１２ｂ      短片
１１ｃ，１２ｃ      裏面
１１ｅ，１２ｅ      長孔
１３                螺子棒（頭付ボルト）
１４                蝶ナット
１５                座付ナット
２０                グランドピアノ
Ｆ                  フェルト材
Ｗ                  布材
Ｓ                  柔軟素材
【図１】
0003224394.tif 000003
【図２】
0003224394.tif 000004
【図３】
0003224394.tif 000005
【図４】
0003224394.tif 000006
【図５】
0003224394.tif 000007